(57)【要約】      （修正有）【課題】管理者パスワードを設定することにより容易に使用者モードにおける携帯端末のアプリケーションの使用制限を可能とするアプリケーションによって、携帯端末を使用する国が異なっても想定外の費用の発生を抑え、リスクを低減することを可能とする携帯端末のアプリケーション使用制限方法を提供する。【解決手段】管理者パスワードが入力されたときのみ管理者モードで動作し、管理者パスワードが設定されないか設定されていても入力されなければ使用者モードで動作するように制御する携帯端末のアプリケーション使用制限方法であって、前記携帯端末のローミングが実行可能な設定モードであり、且つ、ローミング設定が変更された場合に、前記携帯端末の制御部が使用可能なアプリケーションを予めホワイトリストに登録されたアプリケーションに限定するように制御し、有料の通信サービスを利用するアプリケーションは必要最低限に限定される。【選択図】図２
2020077903.tif 000002
【特許請求の範囲】
【請求項１】
管理者モード用の管理者パスワードを設定すると管理者パスワードが入力されたときのみ管理者モードで動作し、管理者パスワードが設定されないか設定されていても入力されなければ使用者モードで動作するように制御するアプリケーションによる携帯端末のアプリケーション使用制限方法であって、
前記携帯端末のローミング設定検出手段が、前記携帯端末のローミングの実行可否の設定モード、及びローミング設定の変更を検出するように制御するローミング設定検出段階と、
前記携帯端末のローミングが実行可能な設定モードであり、且つローミング設定が変更された場合に、前記携帯端末の制御部が前記携帯端末の使用可能なアプリケーションを予め設定されたホワイトリストに登録されたアプリケーションに限定するように制御するアプリケーション限定段階と、を有し、
前記ホワイトリストに登録されるアプリケーションの内、有料の通信サービスを利用するアプリケーションは必要最低限のアプリケーションに限定されることを特徴とする携帯端末のアプリケーション使用制限方法。
【請求項２】
前記携帯端末は、パスワード登録設定部を備え、
前記アプリケーション限定段階は、アプリケーションが限定されると、アプリケーションの限定を解除するかどうかの確認画面を前記携帯端末に表示する段階を含み、
前記パスワード登録設定部にアプリケーションの限定を解除する解除パスワードが設定されている場合、前記解除パスワードの入力を要求する表示画面を前記携帯端末に表示する段階をさらに含み、
前記管理者パスワードが登録されている場合、アプリケーションの限定を解除するには前記解除パスワードの入力が必要であることを特徴とする請求項１に記載の携帯端末のアプリケーション使用制限方法。
【請求項３】
前記携帯端末は、前記管理者パスワードが設定されるか、前記管理者パスワードが設定された後アプリケーションの起動を制限するルールの有効化が選択されると、予め定められ、管理者モードでのみ変更が可能なルールに基づき使用者モードで動作する際に、アプリケーションの起動を制限するアプリケーション起動制限段階をさらに含むことを特徴とする、請求項１に記載の携帯端末のアプリケーション使用制限方法。
【請求項４】
前記予め定められたルールは、
有料の通信サービスが使用可能な環境の下では、有料の通信サービスを利用するアプリケーションの起動を制限するか又は限定された通信料の範囲内で有料の通信サービスを利用するアプリケーションの起動を許可し、
有料の通信サービスと無料の無線通信が併用可能な環境下では、無料の無線通信を優先的に選択し、無料の無線通信環境で起動するアプリケーションの起動は制限せず、
無料の無線通信のみが使用可能な環境の下では、アプリケーションの起動は制限しないことに基づくものであることを特徴とする請求項３に記載の携帯端末のアプリケーション使用制限方法。
【請求項５】
ローミングが実行可能な設定モードであり、且つローミング設定が変更された場合に、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を前記携帯端末に表示する危険地帯情報表示段階をさらに含み、
前記携帯端末のＧＮＳＳ（衛星測位システム）が起動している場合、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限する段階をさらに含むことを特徴とする請求項１に記載の携帯端末のアプリケーション使用制限方法。
【請求項６】
管理者モード用の管理者パスワードを設定して管理するパスワード登録設定部と、ローミング設定入力に対応してローミングの設定条件を更新して管理するローミング設定管理部と、アプリケーションの起動の可否を管理するアプリケーション起動管理部と、制御部とを有する携帯端末であって、
前記制御部は、前記パスワード登録設定部に前記管理者パスワードが新たに設定されるか、前記管理者パスワードが設定された状態で前記管理者パスワードが入力されると、前記携帯端末を管理者モードで動作させ、前記管理者パスワードが設定されていないか、設定されていても入力されなければ前記携帯端末を使用者モードで動作させ、
ローミングが実行可能な設定モードであり、且つローミング設定が変更されたことを前記ローミング設定管理部が検出すると、使用可能なアプリケーションを、アプリケーション起動管理部に保存されたホワイトリストに登録されたアプリケーションに限定するように前記携帯端末を制御し、
前記ホワイトリストに登録されるアプリケーションの内、有料の通信サービスを利用するアプリケーションは必要最低限のアプリケーションに限定されることを特徴とする携帯端末。
【請求項７】
前記制御部は、前記携帯端末に前記管理者パスワードが設定されるか、前記管理者パスワードが設定された後アプリケーションの起動を制限するルールの有効化が選択されると、予め定められ、管理者モードでのみ変更が可能で前記アプリケーション起動管理部が更新管理するルールに基づき使用者モードで動作する際に、アプリケーションの起動を制限するように制御することを特徴とする請求項６に記載の携帯端末。
【発明の詳細な説明】
【技術分野】
【０００１】
本発明は、携帯端末及びそのアプリケーション使用制限方法に関し、特に管理者パスワードを設定することにより容易に使用者モードにおける携帯端末のアプリケーションの使用制限を可能とするアプリケーションによって、携帯端末を使用する国が異なっても想定外の費用の発生を抑え、リスクを低減することを可能とする携帯端末及びそのアプリケーション使用制限方法に関する。
【背景技術】
【０００２】
スマートフォンなどの携帯端末では、電話機能に加えインターネットを介してＷｅｂサイトの閲覧をしたりメールをしたりするなどのデータ通信機能を有するため、こうした携帯端末の利用料としては電話による通話時間の他、有料のデータ通信による通信量などに応じて決定されるのが一般的である。
携帯端末の使用者は、利用料を抑制するため、予めインターネット利用環境が準備されている場所や、公衆の無料通信が設定されている場所ではＷｉＦｉ（登録商標）などの無料の無線通信を利用することが多い。
【０００３】
個人利用の携帯端末の場合は、利用料は携帯端末の所有者が支払うために、利用料の抑制には関心が高く、無料通信は積極的に利用されやすい。
しかし、事業主が一括して携帯端末を購入して従業員に貸与するような場合、携帯端末を使用する従業員は自身で利用料を負担するわけではないので、従業員が携帯端末の利用料を意識して使用することは期待できない。特に最近では外国人を雇用するケースも増えてきており、外国人従業員が私用で母国との間で頻繁に連絡を取るような場合、通信料は想定外の金額となり得る。
【０００４】
特許文献１には、所定の機能を有する携帯端末と、ネットワークを介して携帯端末に接続された情報処理端末とを具備し、予め情報処理端末の識別情報とパスワードとを含む認証要求情報を携帯端末に送信して設定情報として記憶させ、識別情報、パスワードと共に携帯端末に送信される携帯端末の機能の使用を制限する使用制限情報が、あらかじめ記憶された設定識別情報、設定パスワードと一致した場合にその使用制限情報が記憶され実行される携帯端末使用制限システムが記載されている。
【０００５】
特許文献１によれば、事業主は従業員に貸与した携帯端末に、予め事業主の端末機器の識別情報とパスワードを設定しておけば、事業主の端末機器から貸与する携帯端末の使用制限をかけることができる。しかしながら設定をした事業主の端末以外からは使用制限をかけられないため、貸与する携帯端末の数が多い場合、設定を変更するのは容易ではない。
【０００６】
最近ではグローバル化が進み、従業員が海外に出張したり、外国人の従業員が一時帰国したりするなど、貸与した携帯端末が他国で使用されることも十分に想定される。その場合、通信環境が異なるためローミングを設定して移動先の国の通信環境に合わせた通信が必要となる。特許文献１では携帯端末を使用する国が変わる場合は考慮されていない。
【０００７】
特許文献２には、海外ローミング中であることを検知すると、自端末に設定されたメールの受信許否を決定するためのフィルタ情報をサーバに送信する携帯端末と、フィルタ情報に基づいて、携帯端末に対するメールの配布を規制するサーバとを備えたメール着信制御システムが開示されている。
特許文献２によれば、海外ローミング中に制限するのはメールの受信に限られ、その他の有料通信サービスを制約することについての記載は無い。また、元々メールの受信許否に使用するフィルタを設定しておかなければ、ローミング中のメールの制限は行われない。さらに２か国以上を移動する場合、通信環境が国ごとに変わってもそれを区別するようには構成されていない。
【０００８】
アプリケーションの制限のニーズは通信に伴う利用料に限らない。多くの国や地域では紛争や国家レベルの機密管理などの影響で、特定のエリアにおいてカメラなど携帯端末の特定機能を制限しないと思わぬトラブルに巻き込まれることが想定される。例えば複数国で使用される携帯端末の場合、使用者が慣れない他国に移動して撮影禁止区域であることを気付かずにカメラモードを使用することで知らないうちにトラブルに巻き込まれるリスクがある。このように多国に移動することで起こりうるリスクを回避することも求められる。こうした観点からもトラブルが想定される危険地帯がある国では、使用者に危険地帯の情報を提供するとともに、使用者が危険地帯に入り込んだ場合には直ちにトラブルに巻き込まれやすい機能を制限する方法が求められる。
【０００９】
以上のように複数国で使用される携帯端末において費用を抑制する観点、リスクを回避する観点からアプリケーションの使用を制限する方法は、事業主から従業員に貸与される携帯端末に限らず、携帯端末の一般の利用者が海外旅行する際にも、外国人が日本を訪問する際にも利用可能な技術である。
複数国で使用され得る携帯端末にて、自国若しくは第１国では簡単な設定で通信費用を抑えるようにアプリケーションの起動を制限し、他の国々ではローミング環境下でアプリケーションを限定するとともに、当該国に危険地帯が存在する場合、危険地帯の情報を提供し、携帯端末が危険地帯に入った場合は携帯端末の特定機能を制限可能な携帯端末及びそのアプリケーション使用制限方法が求められる。
【先行技術文献】
【特許文献】
【００１０】
【特許文献１】特開２０１１−１４２４９２号公報
【特許文献２】国際公開第２０１０／０６１７８３号公報
【発明の概要】
【発明が解決しようとする課題】
【００１１】
本発明は、上記従来の携帯端末及びそのアプリ使用制限方法における問題点に鑑みてなされたものであって、本発明の目的は、管理者パスワードを設定することにより容易に使用者モードにおける携帯端末のアプリケーションの使用制限を可能とするアプリケーションによって、携帯端末を使用する国が異なっても想定外の費用の発生を抑え、リスクを低減することを可能とする携帯端末及びそのアプリケーション使用制限方法を提供することにある。
【課題を解決するための手段】
【００１２】
上記目的を達成するためになされた本発明による携帯端末のアプリケーション使用制限方法は、管理者モード用の管理者パスワードを設定すると管理者パスワードが入力されたときのみ管理者モードで動作し、管理者パスワードが設定されないか設定されていても入力されなければ使用者モードで動作するように制御するアプリケーションによる携帯端末のアプリケーション使用制限方法であって、前記携帯端末のローミング設定検出手段が、前記携帯端末のローミングの実行可否の設定モード、及びローミング設定の変更を検出するように制御するローミング設定検出段階と、前記携帯端末のローミングが実行可能な設定モードであり、且つローミング設定が変更された場合に、前記携帯端末の制御部が前記携帯端末の使用可能なアプリケーションを予め設定されたホワイトリストに登録されたアプリケーションに限定するように制御するアプリケーション限定段階と、を有し、前記ホワイトリストに登録されるアプリケーションの内、有料の通信サービスを利用するアプリケーションは必要最低限のアプリケーションに限定されることを特徴とする。
【００１３】
前記携帯端末は、パスワード登録設定部を備え、前記アプリケーション限定段階は、アプリケーションが限定されると、アプリケーションの限定を解除するかどうかの確認画面を前記携帯端末に表示する段階を含み、前記パスワード登録設定部にアプリケーションの限定を解除する解除パスワードが設定されている場合、前記解除パスワードの入力を要求する表示画面を前記携帯端末に表示する段階をさらに含み、前記管理者パスワードが登録されている場合、アプリケーションの限定を解除するには前記解除パスワードの入力が必要であることが好ましい。
【００１４】
前記携帯端末は、前記管理者パスワードが設定されるか、前記管理者パスワードが設定された後アプリケーションの起動を制限するルールの有効化が選択されると、予め定められ、管理者モードでのみ変更が可能なルールに基づき使用者モードで動作する際に、アプリケーションの起動を制限するアプリケーション起動制限段階をさらに含むことが好ましい。
【００１５】
前記予め定められたルールは、有料の通信サービスが使用可能な環境の下では、有料の通信サービスを利用するアプリケーションの起動を制限するか又は限定された通信料の範囲内で有料の通信サービスを利用するアプリケーションの起動を許可し、有料の通信サービスと無料の無線通信が併用可能な環境下では、無料の無線通信を優先的に選択し、無料の無線通信環境で起動するアプリケーションの起動は制限せず、無料の無線通信のみが使用可能な環境の下では、アプリケーションの起動は制限しないことに基づくものであることが好ましい。
【００１６】
前記ローミングが実行可能な設定モードであり、且つローミング設定が変更された場合に、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を前記携帯端末に表示する危険地帯情報表示段階をさらに含み、前記携帯端末のＧＮＳＳ（衛星測位システム）が起動している場合、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限する段階をさらに含むことが好ましい。
【００１７】
上記目的を達成するためになされた本発明による携帯端末は、管理者モード用の管理者パスワードを設定して管理するパスワード登録設定部と、ローミング設定入力に対応してローミングの設定条件を更新して管理するローミング設定管理部と、アプリケーションの起動の可否を管理するアプリケーション起動管理部と、制御部とを有する携帯端末であって、前記制御部は、前記パスワード登録設定部に前記管理者パスワードが新たに設定されるか、管理者パスワードが設定された状態で前記管理者パスワードが入力されると、前記携帯端末を管理者モードで動作させ、前記管理者パスワードが設定されていないか、設定されていても入力されなければ前記携帯端末を使用者モードで動作させ、ローミングが実行可能な設定モードであり、且つローミング設定が変更されたことを前記ローミング設定管理部が検出すると、使用可能なアプリケーションを、アプリケーション起動管理部に保存されたホワイトリストに登録されたアプリケーションに限定するように前記携帯端末を制御し、前記ホワイトリストに登録されるアプリケーションの内、有料の通信サービスを利用するアプリケーションは必要最低限のアプリケーションに限定されることを特徴とする。
【００１８】
前記制御部は、前記携帯端末に管理者パスワードが設定されるか、管理者パスワードが設定された後アプリケーションの起動を制限するルールの有効化が選択されると、予め定められ、管理者モードでのみ変更が可能で前記アプリケーション起動管理部が更新管理するルールに基づき使用者モードで動作する際に、アプリケーションの起動を制限するように制御することが好ましい。
【発明の効果】
【００１９】
本発明に係る携帯端末及びそのアプリケーション使用制限方法によれば、管理者パスワードを設定することで、ルールに基づき無料の無線通信を優先的に使用したり、有料の通信サービスの起動を制限したりするなどしてアプリケーションの利用料が増えないようにアプリケーションの使用を制限することができる。
ルールは管理者パスワードを入力して携帯端末を管理者モードで動作させた場合にのみ変更可能であるため、管理者パスワードを設定した上で貸与された従業員等の使用者により想定外の高い通信料が発生するような使用を回避することが可能である。
【００２０】
使用者が個人的に使用する携帯端末においても、本発明に係るアプリケーション使用制限方法によれば、使用者自身が管理者パスワードを設定することで、自身で管理者パスワードを入力しない限りアプリケーションの利用料が増えないように制御されるので個人使用者にとっても気が付かないうちに携帯端末の利用量が過剰に増大するのを防止する効果が得られる。
【００２１】
本発明に係る携帯端末及びそのアプリケーション使用制限方法によれば、ローミング設定が変更されたことを検出するので、行先の国が変わるごとに自動的にアプリケーションが限定されるため、必要以上に携帯端末の利用料が過大になるのを防止することが可能である。
また本発明に係る携帯端末及びそのアプリケーション使用制限方法によれば、移動により危険地帯がある国に入ると、使用者にはその旨が通知され、さらにＧＮＳＳ（衛星測位システム）が起動している場合には、携帯端末が危険地帯内に入るとその位置情報に基づき、制限されるべき携帯端末の機能が自動的に制限されるので、携帯端末の使用者が思わぬトラブルに巻き込まれるリスクを低減することができる。
【図面の簡単な説明】
【００２２】
【図１】本発明の実施形態によるアプリケーション使用制限方法を適用するシステムを概略的に示す図である。
【図２】本発明の実施形態によるアプリケーション使用制限方法を説明するためのフローチャートである。
【図３】本発明の実施形態による危険地帯におけるアプリケーションの動作を説明するためのフローチャートである。
【図４】本発明の実施形態による携帯端末におけるホワイトリスト設定を行う画面を概略的に示す図である。
【図５】本発明の実施形態による携帯端末におけるルールの確認または設定を行う画面を概略的に示す図である。
【図６】本発明の実施形態による携帯端末における危険地帯情報の表示画面を概略的に示す図である。
【発明を実施するための形態】
【００２３】
次に、本発明に係る携帯端末及びそのアプリケーション使用制限方法を実施するための形態の具体例を、図面を参照しながら詳細に説明する。
図１は、本発明の実施形態によるアプリケーション使用制限方法を適用するシステムを概略的に示す図である。
図１を参照すると、アプリケーション使用制限方法を適用するシステム１は、ネットワーク５０を介して互いに接続されるアプリケーション提供サーバ１０と携帯端末２０とを含む。
【００２４】
本発明によるアプリケーション使用制限方法は、携帯端末２０にアプリケーションの使用を制限する常駐型のアプリケーションをインストールして起動することにより、管理者パスワードの設定時及び入力時に管理者モードで動作し、管理者パスワードの設定がないか若しくは設定されていても入力のないときに使用者モードで動作するように携帯端末２０を制御し、管理者モードにおいては、使用者モードでのアプリケーションの使用を制限するルールの設定および変更が可能となり、アプリケーションの使用を制限するルールを設定することにより、ルールに基づいてアプリケーションの使用を制限し、携帯端末２０の有料の通信サービスの使用による想定外の費用の発生を抑えることを可能とするアプリケーション使用制限方法である。
【００２５】
また本発明による携帯端末２０は、ローミング設定検出手段を有し、アプリケーションの使用を制限するアプリケーションにより、携帯端末２０のローミングの実行可否の設定モード、及びローミング設定の変更を検出するように制御し、携帯端末２０のローミングが実行可能な設定モードであり、且つローミング設定が変更された場合に、携帯端末２０の制御部が携帯端末２０の使用可能なアプリケーションを予め設定されたホワイトリストに登録されたアプリケーションに限定するように制御することで、他国に移動した場合でも携帯端末２０の有料サービス使用による想定外の費用の発生を抑えることを可能とするアプリケーション使用制限方法である。
【００２６】
他国に移動した場合は、さらに、携帯端末２０のローミングが実行可能な設定モードであり、且つローミング設定が変更された場合に、ローミング設定に含まれるＭｏｂｉｌｅ  Ｃｏｕｎｔｒｙ  ｃｏｄｅ  （ＭＣＣ）により、携帯端末２０が使用される国の国名を検出し、予め定められた国名別の危険地帯リストに基づき、携帯端末２０が使用される国に危険地帯が存在する場合、危険地帯に関する情報を携帯端末２０に表示し、携帯端末２０のＧＮＳＳ（衛星測位システム）が起動している場合、危険地帯リストに基づき、携帯端末２０の位置が危険地帯の中に位置するかどうかを判断し、危険地帯の中に位置する場合、予め定められた携帯端末２０の機能に対応するアプリケーションの起動を制限することにより、アプリケーションの使用に伴うリスクを低減することを可能とするアプリケーション使用制限方法である。
【００２７】
図１の実施形態を参照すると、アプリケーション提供サーバ１０は、制御部１１、入出力部１２、記憶部１３、表示部１４、アプリケーション提供部１５、及び危険地帯情報管理部１６を含む。
【００２８】
アプリケーション提供部１５は、携帯端末２０におけるアプリケーションの使用を制限する常駐型のアプリケーション（以下、使用制限アプリと称す）を、Ｗｅｂサイトを通じて提供する。実施形態では、ユーザが、携帯端末２０によってアプリケーションを提供するＷｅｂページを開き、使用制限アプリを選択することにより、ユーザの携帯端末２０に使用制限アプリが送信される。ここでユーザは管理者、使用者の区別なく携帯端末２０を所持又は使用するものの総称である。
【００２９】
またアプリケーション提供部１５は、ユーザが管理者パスワードを設定してアプリケーションの使用を制限する際に使用する通信の制限に関するルールを保存し、使用制限アプリを提供する際に併せてルールを提供するか、ユーザが管理者パスワードを設定するのに対応してルールを提供する。アプリケーション提供部１５が提供するルールは予め定められた初期値が設定されたルールである。
【００３０】
更にアプリケーション提供部１５は、携帯端末２０を持つユーザが他国に移動してローミングを使用する際に、アプリケーションを制限するホワイトリストを保存し、使用制限アプリを提供する際に併せてホワイトリストを提供するか、ユーザがローミング設定を変更してローミングを実行するモードを設定するのに対応して、ホワイトリストを提供する。アプリケーション提供部１５が提供するホワイトリストは初期的に選定されたアプリケーションが登録されたホワイトリストである。
ホワイトリストは国によらず共通のものでもよいし、国ごとに異なるように個別のホワイトリストを作成してもよい。国ごとに個別のホワイトリストを作成する場合は、ローミング設定に含まれるＭＣＣに対応する国に合わせたホワイトリストを提供するようにしてもよい。
【００３１】
危険地帯情報管理部１６は、各国の危険地帯と、その危険地帯において使用することがリスクとなる携帯端末２０の機能とを関連付けて危険地帯情報として保存する。各国の危険地帯は危険地帯リストとして国名別に危険地帯の名称、地図上の座標位置などを含めて保存し、後述するようにＧＮＳＳと対応した危険地帯の自動検出に利用可能とする。危険地帯情報は、国や民間団体などの提供する情報などに基づきオペレータ入力等により随時更新し、最新情報を提供するように管理される。
【００３２】
携帯端末２０を持つユーザが他国に移動し、ローミング設定を変更してローミングを実行するモードを設定すると、使用制限アプリによりローミング設定に含まれるＭＣＣに対応する国の情報がアプリケーション提供サーバ１０に送信されるので、危険地帯情報管理部１６は、当該国の危険地帯情報を携帯端末２０に送信する。
【００３３】
入出力部１２は、ネットワーク５０を介して携帯端末２０にアプリケーションやホワイトリストなどのデータを送信するための通信手段を備える。またアプリケーション提供サーバ１０に文字入力をするためのキーボードや処理を指示するためのマウスなどの入力機器を含む。
記憶部１３は、アプリケーション、危険地帯情報やホワイトリストなどの各種データの他、アプリケーション提供サーバ１０を制御する制御プログラムなどを保存する。記憶部１３は、ハードディスクなどの記憶媒体により具現化され、記憶する情報が多い場合は外付けのメモリ装置として構成してもよい。
【００３４】
表示部１４は、危険地帯情報などの各種データやアプリケーションなどのプログラムを表示するもので、液晶表示装置などで具現化される。
制御部１１は制御プログラムに従い、アプリケーション提供サーバ１０の動作を制御し、各構成要素が上記の機能を果たすよう制御する。
【００３５】
図１の使用制限アプリを適用するシステム１は、アプリケーション提供サーバ１０がアプリケーションと危険地帯情報とを提供するように示したが、他の実施形態ではアプリケーション提供サーバ１０とは別に危険地帯情報を提供する管理サーバを設けてもよい。
【００３６】
携帯端末２０は、制御部２１、入出力部２２、記憶部２３、表示部２４、パスワード登録設定部２５、ローミング設定管理部２６、及びアプリケーション起動管理部２７を含む。
パスワード登録設定部２５は、ユーザが設定する管理者パスワード及び又は解除パスワードを保存および更新するとともに、保存したパスワードが有効となるように設定して管理する。
【００３７】
管理者パスワードは、ユーザが使用制限アプリをインストールして起動した後に設定することにより、管理者モードと使用者モードとを使い分けることができるパスワードである。管理者パスワードを設定した時、または携帯端末２０を再起動した際に管理者パスワードが入力された時に携帯端末２０は管理者モードで動作する。パスワード登録設定部２５は、携帯端末２０が再起動され、入力画面から管理者パスワードが入力されると、設定されて保存されている管理者パスワードと比較し、両者が一致すると、携帯端末２０を管理者モードで動作させる。
【００３８】
逆に両者が一致しない場合は再入力を求める入力画面を表示するか、管理者パスワードの入力画面を閉じて携帯端末２０を使用者モードで動作させる。このとき再入力の回数が所定の回数を超えると携帯端末２０を使用者モードで動作させるように構成してもよい。
パスワード登録設定部２５は、最初の管理者パスワード設定後は携帯端末２０が管理者モードで動作するときにのみ管理者パスワードの変更を受付け、保存されている管理者パスワードを新たな管理者パスワードに更新する。
【００３９】
解除パスワードは、携帯端末２０を持つユーザが他国に移動し、ローミング設定を変更してローミングを実行するモードを設定した際、ホワイトリストに登録されたアプリケーションに使用が制限されるが、解除パスワードを設定することにより、解除パスワードを入力しない限りアプリケーションの使用制限が解除されなくなるパスワードである。
【００４０】
ローミング設定管理部２６は、ユーザのローミング設定入力に対応してローミングの設定条件を更新して管理する。
ローミング設定管理部２６は、ローミング設定及びローミングを実行するモードの設定の有無やその内容を保存し、ローミングが実行可能な設定モードであり、且つローミング設定が変更された時点を検出して、アプリケーション起動管理部２７にローミングの設定状態と変更されたローミングの設定内容などの情報を提供する。
【００４１】
アプリケーション起動管理部２７は、アプリケーションの起動を制限するルールと、ローミングが行われる際に使用可能なアプリケーションのみを登録したホワイトリストを更新管理し、ルール又はホワイトリストに基づきアプリケーションの起動の可否を管理する。
携帯端末２０に使用制限アプリがインストールされて起動すると、アプリケーション起動管理部２７にアプリケーションの起動を制限するルールが設定され、保存される。ここで設定されるルールは、アプリケーション提供サーバ１０から使用制限アプリとともに提供されるルールである。ルールの提供は使用制限アプリの起動後、管理者パスワードが設定されると、それに伴ってアプリケーション提供サーバ１０から送信するようにしてもよい。
アプリケーションの起動を制限するルールは、例えば有料の通信サービスと無料の無線通信が併用可能な環境下では無料の無線通信を優先的に使用するなど、通信に関する費用の発生を抑制するように予め定められたものである。
【００４２】
携帯端末２０に管理者パスワードが設定されると、アプリケーションの起動を制限するルールは有効となり、使用制限アプリはルールに従いアプリケーションの起動を制限する。
他の実施形態では、携帯端末２０に管理者パスワードが設定されると、アプリケーションの起動を制限するルールの有効化、無効化の選択が可能となり、ユーザがルールの有効化を選択すると、使用制限アプリはルールに従いアプリケーションの起動を制限し、有効化を選択しないか無効化を選択するとアプリケーションの起動を制限しないように構成される。
【００４３】
アプリケーションの起動を制限するルールは、携帯端末２０が管理者モードで動作する場合にのみユーザによる変更を受け付ける。一実施形態ではユーザによって変更されたルールは先に保存されているルールを更新する形で保存される。他の実施形態では変更されたルールを新たなルールとして保存し、先に保存されているルールは必要に応じて選択して呼び出せるように保存される。この場合、アプリケーションの起動を制限するルールは最後に変更または呼び出されたルールが有効となるように制御される。
【００４４】
また、携帯端末２０に使用制限アプリがインストールされて起動すると、アプリケーション起動管理部２７にアプリケーションを限定するホワイトリストが設定され、保存される。ここで設定されるホワイトリストは、アプリケーション提供サーバ１０から使用制限アプリとともに提供されるホワイトリストである。ホワイトリストは、使用制限アプリの起動後、ローミング設定が変更されると、それに伴ってアプリケーション提供サーバ１０から取得するようにしてもよい。
【００４５】
ホワイトリストに登録されるアプリケーションは、有料サービス使用による想定外の費用の発生を抑えるように選定され、例えば有料の通信サービスを利用するアプリケーションについては、ホームアプリケーションやシステムサービスアプリケーションなどの携帯端末２０を動作させるための必要最低限のアプリケーションに限定される。ホワイトリストに登録されるアプリケーションは、携帯端末２０が管理者モードで動作する場合にのみユーザによる変更を受け付ける。一実施形態ではユーザによって変更されたホワイトリストは先に保存されているホワイトリストを更新する形で保存される。
【００４６】
他の実施形態では変更されたホワイトリストを新たなホワイトリストとして保存し、先に保存されているホワイトリストは必要に応じて選択して呼び出せるように保存される。この場合、アプリケーションの起動を限定するホワイトリストは最後に変更または呼び出されたホワイトリストが有効となるように制御される。
携帯端末２０のローミングが実行可能な設定モードであり、且つローミング設定が変更された場合に、ホワイトリストが有効となり、携帯端末２０で起動可能なアプリケーションはホワイトリストに登録されたアプリケーションに限定される。
【００４７】
ホワイトリストが国ごとに異なって設定される場合、アプリケーション提供サーバ１０から提供されるホワイトリストは、国ごとのホワイトリストを一括して携帯端末２０に提供されるようにしてもよいし、ローミングが行われる国に合わせて個別に提供されるようにしてもよい。
【００４８】
国ごとのホワイトリストが一括して提供される場合、アプリケーション起動管理部２７はローミング設定管理部２６から提供されたローミングの設定内容などの情報からローミング設定に含まれるＭＣＣに対応する国に合わせたホワイトリストを選択する。これにより携帯端末２０で使用可能なアプリケーションは、選択したホワイトリストに登録されたアプリケーションに限定される。
【００４９】
国ごとのホワイトリストが個別に提供される場合、アプリケーション起動管理部２７はローミング設定管理部２６から提供されたローミングの設定内容などの情報からローミング設定に含まれるＭＣＣに対応する国名の情報を抽出してアプリケーション提供サーバ１０に送信し、アプリケーション提供サーバ１０では該当する国のホワイトリストを抽出して携帯端末２０に送信する。携帯端末２０では受信したホワイトリストに基づき使用可能なアプリケーションが限定される。
【００５０】
実施形態ではホワイトリストに登録されたアプリケーションに使用が制限された後、アプリケーションの限定を解除するかどうかの確認画面を携帯端末２０の表示画面に表示する。このように一旦アプリケーションの使用を限定した上で限定を解除するかどうかの確認画面を表示することで、ユーザに解除により高額な通信料が発生する可能性を意識づけることができる。ユーザが解除することを選択すると、ホワイトリストに基づくアプリケーションの限定が解除される。
【００５１】
一方、従業員に貸与する形態端末２０などのように、アプリケーションの限定の解除が望ましくない場合には、解除パスワードを設定することができる。実施形態では、ホワイトリストに登録されたアプリケーションに使用が制限された後、ユーザがアプリケーションの使用制限を解除しようとする場合、解除パスワードが設定されていると解除パスワードの入力画面が表示される。そこでパスワード登録設定部２５は、ユーザが入力する解除パスワードを設定されて保存されている解除パスワードと比較し、両者が一致すると、携帯端末２０のアプリケーションの使用制限を解除するが、一致しない場合はアプリケーションの使用制限を解除しない。
【００５２】
実施形態では解除パスワードの設定や変更、解除は携帯端末２０が管理者モードで動作しているときのみ可能である。他の実施形態では解除パスワードの設定や変更、解除は管理者モード、使用者モードいずれでも可能である。解除パスワードを設定しておけば、個人使用の場合でもアプリケーションの使用制限を解除するために解除パスワードを入力するという行為が必要になり、解除により高額な通信料が発生する可能性をより強く意識づけることができる。
【００５３】
また、携帯端末２０のローミングが実行可能な設定モードであり、且つローミング設定が変更された場合に、アプリケーション起動管理部２７は、ローミング設定管理部２６から提供されたローミングの設定内容などの情報から、ローミング設定に含まれるＭＣＣに対応する国名の情報を抽出してアプリケーション提供サーバ１０に送信し、当該国に関する危険地帯情報がある場合、その危険地帯情報を取得して携帯端末２０の表示画面に表示させる。
【００５４】
ここでは危険地帯情報はローミング設定に含まれる国名に対応する危険地帯情報を取得するとしたが、携帯端末２０のローミングが実行可能な設定モードであり、且つローミング設定が変更された場合に各国の危険地帯情報をまとめてアプリケーション提供サーバ１０から取得して保存するようにしてもよい。
【００５５】
さらに携帯端末２０がＧＮＳＳに対応している場合、アプリケーション起動管理部２７は、ＧＮＳＳの設定を確認し、ＧＮＳＳが起動していない場合は危険地帯情報の表示に併せて、ＧＮＳＳの起動により危険地帯における自動アラームや自動のアプリケーション制限が可能となることを通知するメッセージを表示する。ＧＮＳＳが起動している場合、アプリケーション起動管理部２７は、ＧＮＳＳによる位置情報及び危険地帯情報に含まれる危険地帯リストに基づき携帯端末２０の位置が危険地帯の中に位置するかどうかを判断し、危険地帯の中に位置する場合、予め定められた携帯端末２０の機能に対応するアプリケーションの起動を制限する。
【００５６】
入出力部２２は、ネットワーク５０を介してアプリケーションサーバ１０からアプリケーションやホワイトリストなどのデータを受信したりするほか、ローミング時に国名の情報を送信したりするための通信手段を備える。また携帯端末２０に文字入力をしたり、処理を指示したりするタッチパネルなどの入力手段を含む。
記憶部２３は、各種データや使用制限アプリを含む各種アプリケーション、携帯端末２０の基本的な動作を制御する制御プログラムなどを保存し、半導体メモリなどにより具現化される。
【００５７】
表示部２４は、Ｗｅｂサイトの情報や記憶部２３に保存した各種データの他、必要によりアプリケーションなどのプログラムを表示し、液晶パネルなどで具現化される。
制御部２１は、携帯端末２０の制御プログラムや使用制限アプリを含む各種アプリケーションを実行しこれらのプログラムに従い携帯端末２０の動作を制御し、パスワード登録設定部２５、ローミング設定管理部２６、アプリケーション起動管理部２７などの各構成要素が上記の機能を果たすよう制御する。
【００５８】
図２は本発明の実施形態によるアプリケーション使用制限方法を説明するためのフローチャートである。図２は使用制限アプリをインストールして起動した後の状態を前提とし、管理者パスワードの設定及び入力の有無による使用制限アプリに従う携帯端末２０の処理フローの違いを示す。
【００５９】
図２を参照すると、携帯端末２０の制御部２１は、段階Ｓ２００にて携帯端末２０に管理者パスワードが設定されているか否かを判断する。管理者パスワードが設定されていないときは、携帯端末２０は一般の使用者モードで動作し、ルールに基づくアプリケーションの起動制限は行われず、ユーザの所望するアプリケーションが付加的な制限なく使用可能となる（段階Ｓ２０５）。ただし、使用制限アプリが起動することにより、ローミング設定管理部２６はローミング設定が実行可能な設定モードに設定され、且つローミング設定が変更されたか否かを監視する（段階Ｓ２１０）。
【００６０】
ローミングが実行可能な設定モードであり、且つローミング設定が変更された場合、アプリケーション起動管理部２７は、使用可能なアプリケーションをホワイトリストに登録されたアプリケーションに限定する（段階Ｓ２１５）。ホワイトリストは使用制限アプリのインストールの際に、予めアプリケーション提供サーバ１０から取得するようにしてもよいし、ローミングが実行可能な設定モードであり、且つローミング設定が変更された場合に、アプリケーション提供サーバ１０から取得するようにしてもよい。取得したホワイトリストはアプリケーション起動管理部２７により記憶部２３に保存されて管理される。
【００６１】
次いで段階Ｓ２２０でアプリケーション起動管理部２７は、アプリケーションの限定を解除するかどうかの確認画面を、携帯端末２０の表示画面に表示する。表示画面は例えば、アプリケーションの限定を「解除する」と「解除しない」との２つのボタンを表示し、ユーザに選択を求めるように示す。図２では示していないが、ユーザが解除しないことを選択すると、ホワイトリストに基づくアプリケーションの限定が維持される。ユーザが解除することを選択すると、段階Ｓ２２５で解除パスワードが設定されているかどうかを判断する。
【００６２】
段階Ｓ２２５で解除パスワードが設定されている場合、ユーザに解除パスワードの入力を求める画面を表示する（段階Ｓ２３０）。入力された解除パスワードが、予め設定されて保存された解除パスワードと一致すれば、段階Ｓ２３５でホワイトリストに基づくアプリケーションの限定が解除される。段階Ｓ２２５で解除パスワードが設定されていない場合も段階Ｓ２３５に飛んでホワイトリストに基づくアプリケーションの限定が解除される。
【００６３】
一方段階Ｓ２００に戻って、管理者パスワードが設定されている場合、制御部２１は管理者パスワードが入力されるか否かを判断する（段階Ｓ２４０）。管理者パスワードの入力がない場合、携帯端末２０は限定的な使用者モードで動作し、アプリケーション起動管理部２７はルールに基づきアプリケーションの起動を制限する（段階Ｓ２４５）。ここでルールはアプリケーション提供サーバ１０から使用制限アプリとともに提供されるか、使用制限アプリ起動後管理者パスワードの設定に伴いアプリケーション提供サーバ１０から取得してもよい。また既に取得され、取得後にユーザによって設定変更されたルールであってもよい。
【００６４】
ルールは通信に関する費用の発生を抑制するように予め定められたものであり、実施形態では、有料の通信サービスが使用可能な環境の下では、有料の通信サービスを利用するアプリケーションの起動を制限するか又は限定された通信料の範囲内で有料の通信サービスを利用するアプリケーションの起動を許可し、有料の通信サービスと無料の無線通信が併用可能な環境下では、無料の無線通信を優先的に選択し、無料の無線通信環境で起動するアプリケーションの起動は制限せず、無料の無線通信のみが使用可能な環境の下では、アプリケーションの起動は制限しないことに基づく。ルールはアプリケーション提供サーバ１０から取得後に管理者モードで動作している間に適宜書き換えが可能である。
【００６５】
限定的な使用者モードで動作する場合も、ローミング設定管理部２６はローミング設定が実行可能な設定モードに設定され、且つローミング設定が変更されたか否かを監視する（段階Ｓ２５０）。
ローミングが実行可能な設定モードであり、且つローミング設定が変更された場合、アプリケーション起動管理部２７はホワイトリストに登録されたアプリケーションに限定する（段階Ｓ２５５）。この場合のホワイトリストは段階Ｓ２１５に関して上記説明したホワイトリストの他、予め保存された後ユーザによって変更されたホワイトリストであってもよい。
【００６６】
次いで段階Ｓ２６０にてアプリケーション起動管理部２７は、アプリケーションの限定を解除するかどうかの確認画面を携帯端末２０の表示画面に表示する。限定的な使用者モードの場合、ユーザが解除することを選択すると、ユーザに解除パスワードの入力を求める画面を表示する（段階Ｓ２６５）。即ち限定的な使用者モードの場合、解除パスワードを入力しない限りホワイトリストに基づくアプリケーションの限定は解除されない点が一般的な使用者モードとは異なる。入力された解除パスワードが、予め設定されて保存された解除パスワードと一致すれば、段階Ｓ２７０でホワイトリストに基づくアプリケーションの限定が解除される。
【００６７】
段階Ｓ２４０に戻り、ユーザにより管理者パスワードが入力されると携帯端末２０は管理者モードで動作する。携帯端末２０が管理者モードで動作する場合、ユーザはルール、解除パスワードの設定または変更、管理者パスワードの変更、ホワイトリストの変更などの各種設定の変更が可能である。図２はこの内ルール設定変更、解除パスワードの設定のフローを代表して示す。
【００６８】
段階Ｓ２７５で制御部２１はルール設定変更があるかどうかを判断する。これは例えば管理者モードで動作する場合、設定変更のメニュー画面を表示し、メニュー画面の中にルール設定変更のボタンを用意しておいて、ユーザがこのボタンを選択するかどうかで判断する。ルール設定変更が選択された場合は段階Ｓ２８０でユーザによるルール設定変更を受付け、変更されたルールはアプリケーション起動管理部２７によって保存されるルールを更新するように制御する。
【００６９】
次に段階Ｓ２８５で、制御部２１は解除パスワード設定が行われるかどうかを判断する。この場合も設定変更のメニュー画面の中で解除パスワード設定のボタンを用意し、ユーザがこのボタンを選択するかどうかで判断してもよい。解除パスワード設定が選択された場合は、段階Ｓ２９０でユーザによる解除パスワード設定を受付け、解除パスワードはパスワード登録設定部２５により保存されるように制御する。
【００７０】
段階Ｓ２９５にて管理者モードを終了するかどうかを判断する。これは例えば管理者モード終了ボタンがユーザによって選択されるかどうかで判断してもよい。管理者モードが終了する場合、段階Ｓ２４０と段階Ｓ２４５との間に戻して携帯端末２０を限定された使用者モードで動作させる。
【００７１】
図２で示したフローチャートは一実施形態を例示的に示したものである。
図２では管理者モードのフローは順番に変更や設定の判断をするように示すが、例えば選択されたボタンにより分岐して処理を行うように構成してもよい。
また、図２では例えば管理者パスワードの入力はこのフローの先頭に位置するように示したが、ユーザが所望するタイミングで管理者モードにより種々の設定変更を行えるようにしてもよい。例えば限定された使用者モードで動作させていた携帯端末２０を途中で管理者パスワードを解除して一般の使用者モードとして動作するように変更することも可能である。
このように本発明によるアプリケーション使用制限方法を実行するためのフローは様々な変形があり得て図２に示すものに限らない。
【００７２】
図３は、本発明の実施形態による危険地帯におけるアプリケーションの動作を説明するためのフローチャートである。図３は携帯端末２０のローミングが実行可能な設定モードであり、且つローミング設定が変更された場合を前提とする。
図３を参照すると、段階Ｓ３００にてアプリケーション起動管理部２７は、ローミング設定管理部２６から提供されたローミングの設定内容などの情報から、ローミング設定に含まれるＭＣＣに対応する国名の情報を抽出する。
【００７３】
抽出した国名の情報から当該国に関する危険地帯情報があるかどうかを確認する（段階Ｓ３１０）。危険地帯情報は前述のように、各国の危険地帯情報をまとめてアプリケーション提供サーバ１０から取得して保存する場合と、抽出した国名をアプリケーション提供サーバ１０に送信し、アプリケーション提供サーバ１０で当該国に関する危険地帯情報がある場合、その危険地帯情報が携帯端末２０に提供される場合とがある。段階Ｓ３１０は前者に対応した処理である。
いずれのケースの場合も当該国に危険地帯情報がある場合、段階Ｓ３２０にて危険地帯情報を携帯端末２０の表示画面に表示させる。
【００７４】
続いてアプリケーション起動管理部２７は、ＧＮＳＳの設定を確認し（段階Ｓ３３０）、ＧＮＳＳが起動している場合、ＧＮＳＳによる位置情報及び危険地帯情報に含まれる危険地帯リストに基づき携帯端末２０の位置が危険地帯の中に位置するかどうかを判断する（段階Ｓ３４０）。
危険地帯の中に位置する場合、予め定められた携帯端末２０の機能に対応するアプリケーションの起動を制限する（段階Ｓ３５０）。
段階Ｓ３４０において危険地帯の中に位置していない場合でも、危険地帯から所定の距離以内の位置に入った場合はユーザに対しアラームを発するように制御してもよい。
実施形態では、図３に示した危険地帯における対応のフローは、図２における（１）、又は（２）のような位置に挿入してホワイトリストによるアプリケーションの制限と組み合わせて使用される。
【００７５】
図４は、本発明の実施形態による携帯端末におけるホワイトリスト設定を行う画面を概略的に示す図である。
図４を参照すると、携帯端末２０の表示画面２９には携帯端末２０で使用可能なアプリケーションがアイコン（４２０、４３０）で表示される。ホワイトリスト設定画面では画面上方にホワイトリスト登録エリア４１０が表示される。ホワイトリスト登録エリア４１０に登録されたＡ、Ｃ、Ｆ、Ｇのイニシャルで表示した４つのアイコン４２０は、アプリケーション提供サーバ１０に保存されたホワイトリストに登録されたアプリケーションに対応したものであり、初期的に選定されたアプリケーションに対応したものである。
【００７６】
ホワイトリスト登録エリア４１０の外側下方に示されるアイコン４３０はホワイトリストに初期的には登録されていないその他のアプリケーションに対応したものである。即ち携帯端末２０のローミングが実行可能な設定モードであり、且つローミング設定が変更された場合、図４に示す携帯端末２０は、使用可能なアプリケーションをＡ、Ｃ、Ｆ、Ｇのイニシャルで表示した４つのアイコン４２０に対応したアプリケーションに限定する。
【００７７】
ユーザが登録されたアプリケーションを変更しようとする場合、例えばｂのイニシャルで表示したアイコン４３０に対応したアプリケーションをホワイトリストに追加する場合、ユーザはｂのイニシャルで表示したアイコン４３０をドラッグ操作によりホワイトリスト登録エリア４１０の中に移動することで対応したアプリケーションが追加登録される。
【００７８】
逆に、例えばＦのイニシャルで表示したアイコン４２０に対応したアプリケーションをホワイトリストから削除する場合、ユーザはＦのイニシャルで表示したアイコン４２０をドラッグ操作によりホワイトリスト登録エリア４１０の外に移動することで当該アプリケーションはホワイトリストから削除される。
図４で示したホワイトリスト設定の方法は１つの事例であり、通常の携帯端末２０の使用方法に準じて様々な変形例があることは言うまでもない。
【００７９】
図５は、本発明の実施形態による携帯端末におけるルールの確認または設定を行う画面を概略的に示す図である。
図５を参照すると、携帯端末２０の表示画面２９には様々なルールがそれぞれに対応するチェックボックス５１０とともに表示される。
【００８０】
ルールとして「有料サービス使用環境下で有料サービス利用アプリを制限」「有料サービス使用環境下で限定された通信料の範囲で有料サービス利用アプリの起動を許可」「有料サービスと無料の無線通信が併用可能な環境下で無料無線通信を優先し、無料の無線通信サービス利用アプリは制限しない」「無料の無線通信のみが使用可能な環境下で無料の無線通信サービス利用アプリは制限しない」「登録された無線通信サービスのみ利用を許可しアプリの起動を制限しない」「全てのルールをクリア」の６つのルールが表示され、この内３つのルールのチェックボックス５１０にはチェックマーク５２０が表示されている。この３つのルールは、アプリケーション提供部１５が提供するルールに初期値として設定されたルールである。
【００８１】
チェックボックス５１０にチェックマーク５２０が表示されているルールが有効なルールであり、携帯端末２０に管理者パスワードが設定されると有効なルールに従いアプリケーションの起動が制限される。
チェックボックス５１０をクリックまたはタップする度にチェックマーク５２０が表示されるのと消去されるのが繰り返されるように設定されているので、ユーザがルールの設定を変更する場合、追加したいルールのチェックボックス５１０にチェックマーク５２０を表示させ、或は適用したくないルールのチェックボックス５１０のチェックマーク５２０を外すようにする。
【００８２】
表示画面２９の下方にはルールの有効化、無効化を選択する欄５４０がいずれかを選択するためのラジオボタン５３０とともに表示される。例えば初期的にはルールが有効に設定されており、ユーザの選択により後からルールを無効に選択することが可能である。管理者パスワードが設定された場合にルールが自動適用されるように構成する場合はこれらの表示は不要である。
図５のルール設定画面は１つの事例であり、様々なルールの組み合わせに番号を付与してユーザに番号で選択可能なように提示するようにしてもよい。
【００８３】
図６は、本発明の実施形態による携帯端末における危険地帯情報の表示画面を概略的に示す図である。
図６を参照すると、携帯端末２０の表示画面２９にはローミング設定に含まれるＭＣＣに対応する国の国名６１０、危険地帯の名称及びその危険地帯において使用することがリスクとなる携帯端末２０の機能に関する情報６２０が表示される。
【００８４】
さらに危険地帯情報が存在する国にいながらＧＮＳＳが起動していない場合、ＧＮＳＳの起動により危険地帯における自動アラームや自動のアプリケーション制限が可能となることを通知するメッセージ６３０を表示する。
危険地帯については画面上に地図を表示し、地図の上で危険地帯を色分けなどにより識別しやすく表示してもよい。またリスクとなる携帯端末２０の機能もアイコンで表示するようにしてもよい。この場合、ＧＮＳＳが起動していれば、地図上に現在地を表す表示を重ねて表示することができるため、ユーザは容易にリスク回避を行うことができる。
【００８５】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００８６】
１    システム
１０    アプリケーション提供サーバ
１１、２１    制御部
１２、２２    入出力部
１３、２３    記憶部
１４、２４    表示部
１５    アプリケーション提供部
１６    危険地帯情報管理部
２０    携帯端末
２５    パスワード登録設定部
２６    ローミング設定管理部
２７    アプリケーション起動管理部
２９    表示画面
５０    ネットワーク
【図１】
2020077903.tif 000003
【図２】
2020077903.tif 000004
【図３】
2020077903.tif 000005
【図４】
2020077903.tif 000006
【図５】
2020077903.tif 000007
【図６】
2020077903.tif 000008
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
管理者モード用の管理者パスワードを設定すると管理者パスワードが入力されたときのみ管理者モードで動作し、管理者パスワードが設定されないか設定されていても入力されなければ使用者モードで動作するように制御するアプリケーションによる携帯端末のアプリケーション使用制限方法であって、
前記携帯端末のローミング設定検出手段が、前記携帯端末のローミングの実行可否の設定モード、及びローミング設定の変更を検出するように制御するローミング設定検出段階と、
前記携帯端末のローミングが実行可能な設定モードであり、且つローミング設定が変更された場合に、前記携帯端末の制御部が前記携帯端末の使用可能なアプリケーションを予め設定されたホワイトリストに登録されたアプリケーションに限定するように制御するアプリケーション限定段階と、を有し、
ローミングが実行可能な設定モードであり、且つローミング設定が変更された場合に、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を前記携帯端末に表示する危険地帯情報表示段階をさらに含み、
前記携帯端末のＧＮＳＳ（衛星測位システム）が起動している場合、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限する段階をさらに含み、
前記ホワイトリストに登録されるアプリケーションの内、有料の通信サービスを利用するアプリケーションは必要最低限のアプリケーションに限定されることを特徴とする携帯端末のアプリケーション使用制限方法。
【請求項２】
前記携帯端末は、パスワード登録設定部を備え、
前記アプリケーション限定段階は、アプリケーションが限定されると、アプリケーションの限定を解除するかどうかの確認画面を前記携帯端末に表示する段階を含み、
前記パスワード登録設定部にアプリケーションの限定を解除する解除パスワードが設定されている場合、前記解除パスワードの入力を要求する表示画面を前記携帯端末に表示する段階をさらに含み、
前記管理者パスワードが登録されている場合、アプリケーションの限定を解除するには前記解除パスワードの入力が必要であることを特徴とする請求項１に記載の携帯端末のアプリケーション使用制限方法。
【請求項３】
前記携帯端末は、前記管理者パスワードが設定されるか、前記管理者パスワードが設定された後アプリケーションの起動を制限するルールの有効化が選択されると、予め定められ、管理者モードでのみ変更が可能なルールに基づき使用者モードで動作する際に、アプリケーションの起動を制限するアプリケーション起動制限段階をさらに含むことを特徴とする、請求項１に記載の携帯端末のアプリケーション使用制限方法。
【請求項４】
前記予め定められたルールは、
有料の通信サービスが使用可能な環境の下では、有料の通信サービスを利用するアプリケーションの起動を制限するか又は限定された通信料の範囲内で有料の通信サービスを利用するアプリケーションの起動を許可し、
有料の通信サービスと無料の無線通信が併用可能な環境下では、無料の無線通信を優先的に選択し、無料の無線通信環境で起動するアプリケーションの起動は制限せず、
無料の無線通信のみが使用可能な環境の下では、アプリケーションの起動は制限しないことに基づくものであることを特徴とする請求項３に記載の携帯端末のアプリケーション使用制限方法。
【請求項５】
管理者モード用の管理者パスワードを設定して管理するパスワード登録設定部と、ローミング設定入力に対応してローミングの設定条件を更新して管理するローミング設定管理部と、アプリケーションの起動の可否を管理するアプリケーション起動管理部と、制御部とを有する携帯端末であって、
前記制御部は、前記パスワード登録設定部に前記管理者パスワードが新たに設定されるか、前記管理者パスワードが設定された状態で前記管理者パスワードが入力されると、前記携帯端末を管理者モードで動作させ、前記管理者パスワードが設定されていないか、設定されていても入力されなければ前記携帯端末を使用者モードで動作させ、
ローミングが実行可能な設定モードであり、且つローミング設定が変更されたことを前記ローミング設定管理部が検出すると、使用可能なアプリケーションを、アプリケーション起動管理部に保存されたホワイトリストに登録されたアプリケーションに限定するように前記携帯端末を制御し、
ローミングが実行可能な設定モードであり、且つローミング設定が変更された場合に、前記アプリケーション起動管理部は、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を取得して前記携帯端末に表示させ、
前記携帯端末のＧＮＳＳ（衛星測位システム）が起動している場合、前記アプリケーション起動管理部は、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限し、
前記ホワイトリストに登録されるアプリケーションの内、有料の通信サービスを利用するアプリケーションは必要最低限のアプリケーションに限定されることを特徴とする携帯端末。
【請求項６】
前記制御部は、前記携帯端末に前記管理者パスワードが設定されるか、前記管理者パスワードが設定された後アプリケーションの起動を制限するルールの有効化が選択されると、予め定められ、管理者モードでのみ変更が可能で前記アプリケーション起動管理部が更新管理するルールに基づき使用者モードで動作する際に、アプリケーションの起動を制限するように制御することを特徴とする請求項５に記載の携帯端末。
【手続補正２】
【補正対象書類名】明細書
【補正対象項目名】００１２
【補正方法】変更
【補正の内容】
【００１２】
上記目的を達成するためになされた本発明による携帯端末のアプリケーション使用制限方法は、管理者モード用の管理者パスワードを設定すると管理者パスワードが入力されたときのみ管理者モードで動作し、管理者パスワードが設定されないか設定されていても入力されなければ使用者モードで動作するように制御するアプリケーションによる携帯端末のアプリケーション使用制限方法であって、前記携帯端末のローミング設定検出手段が、前記携帯端末のローミングの実行可否の設定モード、及びローミング設定の変更を検出するように制御するローミング設定検出段階と、前記携帯端末のローミングが実行可能な設定モードであり、且つローミング設定が変更された場合に、前記携帯端末の制御部が前記携帯端末の使用可能なアプリケーションを予め設定されたホワイトリストに登録されたアプリケーションに限定するように制御するアプリケーション限定段階と、を有し、ローミングが実行可能な設定モードであり、且つローミング設定が変更された場合に、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を前記携帯端末に表示する危険地帯情報表示段階をさらに含み、前記携帯端末のＧＮＳＳ（衛星測位システム）が起動している場合、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限する段階をさらに含み、前記ホワイトリストに登録されるアプリケーションの内、有料の通信サービスを利用するアプリケーションは必要最低限のアプリケーションに限定されることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
上記目的を達成するためになされた本発明による携帯端末は、管理者モード用の管理者パスワードを設定して管理するパスワード登録設定部と、ローミング設定入力に対応してローミングの設定条件を更新して管理するローミング設定管理部と、アプリケーションの起動の可否を管理するアプリケーション起動管理部と、制御部とを有する携帯端末であって、前記制御部は、前記パスワード登録設定部に前記管理者パスワードが新たに設定されるか、管理者パスワードが設定された状態で前記管理者パスワードが入力されると、前記携帯端末を管理者モードで動作させ、前記管理者パスワードが設定されていないか、設定されていても入力されなければ前記携帯端末を使用者モードで動作させ、ローミングが実行可能な設定モードであり、且つローミング設定が変更されたことを前記ローミング設定管理部が検出すると、使用可能なアプリケーションを、アプリケーション起動管理部に保存されたホワイトリストに登録されたアプリケーションに限定するように前記携帯端末を制御し、ローミングが実行可能な設定モードであり、且つローミング設定が変更された場合に、前記アプリケーション起動管理部は、前記ローミング設定に含まれるＭｏｂｉｌｅ  Ｃｏｕｎｔｒｙ  ｃｏｄｅ  （ＭＣＣ）により、前記携帯端末が使用される国の国名を検出し、予め定められた国名別の危険地帯リストに基づき、前記携帯端末が使用される国に危険地帯が存在する場合、危険地帯に関する情報を取得して前記携帯端末に表示させ、前記携帯端末のＧＮＳＳ（衛星測位システム）が起動している場合、前記アプリケーション起動管理部は、前記危険地帯リストに基づき、前記携帯端末の位置が前記危険地帯の中に位置するかどうかを判断し、前記危険地帯の中に位置する場合、予め定められた前記携帯端末の機能に対応するアプリケーションの起動を制限し、前記ホワイトリストに登録されるアプリケーションの内、有料の通信サービスを利用するアプリケーションは必要最低限のアプリケーションに限定されることを特徴とする。